(57)【要約】【課題】操作し易く外観の美観も優れたリモコン装置を提供する。【解決手段】上面視の形状が円形で手前側１１３が低く奥側１１４が高くなるよう上面１１１が底面１１２に対して傾斜し側面視の形状が楔形状となった筐体１１０と、筐体１１０の上面１１０に装着され操作面及び表示面として機能する円形の上面パネル１２０とを備える。筐体１００は周囲が外側に向けて膨らんだ形状に形成され、上面パネル１２０は中央が盛り上がった形状に形成されている。【選択図】図１
2020107979.tif 000002
【特許請求の範囲】
【請求項１】
機器に対して制御信号を送信するリモコン装置であって、
底面が平面で上面が該底面に対して傾斜し一方の側が低く該一方の側と反対側が高くなるよう側面視の形状が楔形状となった筐体と、該筐体の前記上面に装着され操作面及び表示面として機能する円形の上面パネルとを備え、
該上面パネルは中央が盛り上がった形状に形成されていることを特徴とするリモコン装置。
【請求項２】
請求項１に記載のリモコン装置において、
前記筐体は、楕円体の長軸に垂直な第１平面で切断した断面を前記上面とし、前記第１平面よりも前記楕円体の頂部に近い第２平面を前記第１平面に対して斜めに切断した断面を前記底面とする形状に形成されていることを特徴とするリモコン装置。
【請求項３】
請求項１又は２に記載のリモコン装置において、
前記上面パネルは、スモーク色の材質で形成され、前記上面パネルの内側に点灯表示される操作部と表示器が収納されていることを特徴とするリモコン装置。
【請求項４】
請求項１、２又は３に記載のリモコン装置において、
前記筐体は、内部に温度センサを備え、該温度センサで温度検知される空気が通過する通孔が前記一方の側に形成されていることを特徴とするリモコン装置。
【請求項５】
請求項１、２又は３に記載のリモコン装置を室内壁に縦姿勢で保持するリモコンホルダであって、
上方及び前方が開放され、左側部と右側部と底部と前方の上方向を向くように傾斜した奥壁とを有し、前記リモコン装置の前記一方の側が収納される収納凹部と、前記室内壁に取り付けられる背面部とを備え、
前記左側部の前端上部と前記右側部の前端上部に、前記収納凹部に前記上面パネルが前方を向くように収納した前記リモコン装置の脱落防止用のストッパが、それぞれ形成されている、
ことを特徴とするリモコンホルダ。
【請求項６】
請求項５に記載のリモコンホルダにおいて、
前記リモコン装置は前記底面に第１係止部を備え、
前記リモコン装置を収納したときに前記第１係止部に係止する第２係止部が前記奥壁に形成されていることを特徴とするリモコンホルダ。
【請求項７】
請求項５又は６に記載のリモコンホルダにおいて、
前記リモコン装置の前記筐体は、内部に温度センサを備え、該温度センサで温度検知される空気が通過する通孔が前記一方の側に形成され、
前記底部に前記リモコン装置の前記通孔が露出する開口が形成されていることを特徴とするリモコンホルダ。
【発明の詳細な説明】
【技術分野】
【０００１】
本発明は、空気調和機等の機器に制御信号を送信するリモコン装置及びそのリモコン装置を室内壁に縦姿勢で保持するリモコンホルダに関する。
【背景技術】
【０００２】
従来、リモコン装置は、手持ち操作を基本とするが机上においた状態での操作や室内壁に取り付けたリモコンホルダに保持した状態での操作も想定されており、外形は直方体形状に形成されている（特許文献１）。
【先行技術文献】
【特許文献】
【０００３】
【特許文献１】特開２０１１０−０４８５０１号公報
【発明の概要】
【発明が解決しようとする課題】
【０００４】
ところが、このような形状のリモコン装置を机上に置いた状態のまま操作する際は、その操作面が机の天板と平行になるため、手持ち操作に比べてキーを押し難い。また、リモコン装置を離れた位置から見る場合、そのリモコン装置の表示面を斜め上方から見ることになるので、その表示面を視認し難い。さらに、このリモコン装置をリモコンホルダに保持する場合は、その挿入や取り出しを容易にする必要がある。
【０００５】
本発明の目的は、机上においた場合でも表示面の視認や操作がし易くなったリモコン装置及びそのリモコン装置の挿入や取り出しが容易となったリモコンホルダを提供することである。
【課題を解決するための手段】
【０００６】
上記目的を達成するために、本実施形態の一例のリモコン装置は、機器に対して制御信号を送信するリモコン装置であって、底面が平面で上面が該底面に対して傾斜し一方の側が低く該一方の側と反対側が高くなるよう側面視の形状が楔形状となった筐体と、該筐体の前記上面に装着され操作面及び表示面として機能する円形の上面パネルとを備え、該上面パネルは中央が盛り上がった形状に形成されていることを特徴とする。
また、本実施形態の一例のリモコンホルダは、リモコン装置を室内壁に縦姿勢で保持するリモコンホルダであって、上方及び前方が開放され、左側部と右側部と底部と前方の上方向を向くように傾斜した奥壁とを有し、前記リモコン装置の前記一方の側が収納される収納凹部と、前記室内壁に取り付けられる背面部とを備え、前記左側部の前端上部と前記右側部の前端上部に、前記収納凹部に前記上面パネルが前方を向くように収納した前記リモコン装置の脱落防止用のストッパが、それぞれ形成されていることを特徴とする。
【発明の効果】
【０００７】
本発明のリモコン装置によれば、机上においた状態でも表示面を視認し易く操作面を操作し易くなる。また、本発明のリモコンホルダによれば、リモコン装置の挿入及び取り出しが容易となる。
【図面の簡単な説明】
【０００８】
【図１】リモコン装置の側面図である。
【図２】リモコン装置の使用説明図である。
【図３】リモコン装置の斜め上から見た斜視図である。
【図４】リモコン装置の底面図である。
【図５】リモコンホルダの斜め上からみた斜視図である。
【図６】リモコンホルダの平面図、底面図、正面図、背面図、右側面図、断面図である。
【図７】リモコン装置をリモコンホルダに収納する説明の側面図である。
【図８】リモコン装置をリモコンホルダに収納する説明の斜視図である。
【図９】リモコン装置をリモコンホルダに収納した状態の側面図である。
【図１０】リモコンホルダにリモコン装置を収納して机上等に置いた状態の斜視図である。
【発明を実施するための形態】
【０００９】
図１〜図４に本発明の１つの実施例の機器として空気調和機を制御するリモコン装置１００を示し、図５、図６にそのリモコン装置１００を保持するリモコンホルダ２００を示し、図７〜図１０にリモコン装置１００をリモコンホルダ２００に保持する状態を示す。
【００１０】
リモコン装置１００は、それが操作された内容（温度設定、冷房運転、暖房運転、除湿運転、送風運転、運転停止、その他）の制御信号を光、電波等によって送信するためのものである。このリモコン装置１００は図１に示すように筐体１１０を備える。この筐体１１０の上面１１１は、円形の底面１１２に対して５〜２５度程度の角度で傾斜している。そして、その傾斜した上面１１１に、円形の上面パネル１２０が傾斜状態で取り付けられている。
【００１１】
筐体１１０の外形は仮想線で示した楕円体（回転楕円体）ＡのラインＢとラインＣを切断した形状である。すなわち、楕円体Ａの長軸Ｚに垂直な平面Ｂで切断した断面が真円の上面１１１となり、平面Ｂより下方の頂部側で平面Ｂに対して斜め（平面Ｂとなす角度がα（５〜２５度））の平面Ｃで切断した断面が楕円の底面１１２となる。底面１１２の楕円形状は必要に応じて真円に近づくよう修正される。このように、筐体１１０は楕円体を原型としているので、周囲が外側に向けて膨らんだ形状となっている。
【００１２】
上面パネル１２０は、可視光透過率の小さいスモーク色（例えば、ブラウンスモーク色、ブルースモーク色等）の樹脂等の材質で形成され、中央部分が周囲に比べて丘形状に盛り上がった形状となっている。
【００１３】
筐体１１０を水平面の上に置いたときは、上面１１１の傾斜によって、一方の側（以下、手前側１１３と呼ぶ。）が低く、該一方の側と反対側（以下、奥側１１４と呼ぶ。）が高くなって、図１に示すように、側面視で楔形状となっている。つまり、手前側１１３の高さＨ１が低く、奥側１１４の高さＨ２が高く、Ｈ１＜Ｈ２となっている。上面パネル１２０は操作面や種々の情報の表示面として機能するパネルであり、傾斜面の向く方向、つまり手前側１１３から操作されることを想定している。よって、このリモコン装置１００を図２に示すように机３００の上に置いたときは、手前側１１３をユーザ４００の方向に向けることで、操作が容易となる。
【００１４】
上面パネル１２０の内側に配置される図示しないフレームには、図３に示すように、光学方式の近接センサ１３１が配置され、中央には表示器１３２が配置されている。また、奥側１１４には表示器１３２の表示内容を上方向に移動させるタッチセンサ１３３Ｕが、手前側１１３には表示内容を下方向に移動させるタッチセンサ１３３Ｄが、左側には表示内容を左方向に移動させるタッチセンサ１３３Ｌが、右側には表示内容を右方向に移動させるタッチセンサ１３３Ｒが、それぞれ配置され、さらにタッチセンサ１３３Ｒと１３３Ｄの間には選択決定用のタッチセンサ１３４が配置されている。上面パネル１２０の裏面には、これらの表示器１３２、タッチセンサ１３３Ｕ，１３３Ｄ１３３Ｌ，１３３Ｒ，１３４に対応する部分を除く部分が暗色（例えば、ダークグレイ、黒等）でマスクされている。また、筐体１１０の手前側１１３の下部には、内部の図示しない温度センサで温度検知される空気が通過する通孔１１３ａ（図４参照）が形成されている。
【００１５】
このリモコン装置１００では、近接センサ１３１がユーザ４００の接近を検出しないときはスリープ状態に設定されていて、近接センサ１３１と温度センサのみが動作している。このときは、上面パネル１２０がスモーク色であることによって、近接センサ１３１、表示器１３２、タッチセンサ１３３Ｕ、１３３Ｄ、１３３Ｌ、１３３Ｒ、１３４は外部から見え難くなっており、また外部から入射する光の内部での乱反射も防止されている。
【００１６】
近接センサ１３１にユーザ４００が手や指をかざすと、近接センサ１３１がそのユーザ４００の接近を検出し、スリープ状態が解除される。これによって、表示器１３２が表示点灯を開始し、タッチセンサ１３３Ｕ、１３３Ｄ、１３３Ｌ、１３３Ｒ、１３４も点灯する。スリープ解除時の初期表示として表示器１３２に時刻が表示されるようしておくこともできる。
【００１７】
この後、ユーザ４００は、タッチセンサ１３３Ｕ、１３３Ｄ、１３３Ｌ、１３３Ｒのいずれか１つ以上にタッチすることで、表示器１３２に表示される内容を上下方向や左右方向に移動させてから、特定の表示が行われた時点で決定用のタッチセンサ１３４にタッチすれば、当該の特定の表示に応じた制御内容を空気調和機に指令することができる。リモコン装置１００は、タッチセンサ１３３Ｕ、１３３Ｄ、１３３Ｌ、１３３Ｒ、１３４のいずれにもタッチがされなくなってから予め設定した時間が経過すると、再度スリープ状態に復帰する。
【００１８】
リモコン装置１００の筐体１１０の底面１１２は前記したように外形が楕円の平面であり、ここには、図４に示すように、図示しない電池箱を閉じる電池蓋１４０が取り付けられている。この電池蓋１４０はその電池蓋１４０を底面１１２に固定するためのロックピン１４１を有し、そのロックピン１４１のロックを解除するために押される方向に、第１係止部としての凹部１４２が形成されている。このロックピン１４１と凹部１４２は、筐体１１０の奥側１１４の近くに形成されている。また、電池蓋１４０の上下左右の近傍には、滑り止めシート１５１Ｕ、１５１Ｄ、１５１Ｌ、１５１Ｒが貼付されている。滑り止めシート１５１Ｕは前記したタッチセンサ１３３Ｕへのタッチ圧力を最も大きく受ける位置、滑り止めシート１５１Ｄはタッチセンサ１３３Ｄへのタッチ圧力を最も大きく受ける位置、滑り止めシート１５１Ｌはタッチセンサ１３３Ｌへのタッチ圧力を最も大きく受ける位置、滑り止めシート１５１Ｒはタッチセンサ１３３Ｒへのタッチ圧力を最も大きく受ける位置に、それぞれ貼付されている。
【００１９】
以上によって、リモコン装置１００は、机３００の上でのタッチ操作を想定したとき、上面パネル１２０が円形で傾斜しているので、手前側１１３から指によるタッチ操作がし易く、ユーザから離れた場所に置いた場合でも視認性が高まる。また、スリープ時は、スモーク色の上面パネル１２０の内側の表示器１３２やタッチセンサ１３３Ｕ、１３３Ｄ、１３３Ｌ、１３３Ｒ，１３４は見え難く、内部に入射する外光の乱反射も防止されるので、美観が向上する。さらに、筐体１１０は周囲が外側に膨張し上面パネル１２０も中央が盛り上がった形状となっているので、この面でも美観が向上し、ユーザ４００に柔らかく親しみ易くタッチしや易い印象を与えることができる。さらに、筐体１１０の底面１２０の滑り止めシート１５１Ｕ、１５１Ｄ、１５１Ｌ、１５１Ｒは、それぞれタッチセンサ１３３Ｕ、１３３Ｄ、１３３Ｌ、１３３Ｒ、１３４のタッチ圧力を最も大きく受ける位置に貼付されているので、机３００の上に置いたリモコン装置１００のタッチセンサ１３３Ｕ、１３３Ｄ、１３３Ｌ、１３３Ｒにタッチする際のタッチ圧力が、それら滑り止めシート１５１Ｕ、１５１Ｄ、１５１Ｌ、１５１Ｒによって受け止められ、リモコン装置１００が滑ったりぐらつくことが防止され、確実な操作を行うことができる。タッチセンサ１３４にタッチした際のタッチ圧力は、滑り止めシート１５１Ｄ，１５１Ｒによって受け止められ、同様にリモコン装置１００のぐらつきが防止され、確実な操作を行うことができる。
【００２０】
図５、図６に示すリモコンホルダ２００は、リモコン装置１００を収納する収納凹部２１０と、室内壁５００に取り付けられる背面部２２０を備える。収納凹部２１０は、リモコン装置１００の手前側１１３を収納し且つ上面パネル１２０が前方に露出できるように、上方と前方が開放されている。また、収納凹部２１０には、左側部２１１と右側部２１２と底部２１３と奥壁２１４が形成されている。左側部２１１と右側部２１２と底部２１３の内側は、リモコン装置１００の手前側１１３の外側を包み込むよう湾曲している。左側部２１１の前端上部には内側に曲折したストッパ２１１ａが形成され、右側部２１２の前端上部にも内側に曲折したストッパ２１２ａが形成され、底部２１３には開口２１３ａが形成されている。また、奥壁２１４は収納したリモコン装置１００の底面１１２が接触する壁であり、前方の斜め上方向を向くよう傾斜しており、その上部には第２係止部としての係止突起２１４ａが形成され、下部の背面にはネジ止め孔２１４ｂを有するボス２１４ｃが形成されている。
【００２１】
背面部２２０における収納凹部２１０の側には、左側部２１１と奥壁２１４を接続する補強リブ２２１、右側部２１２と奥壁２１４を接続する補強リブ２２２、補強リブ２２１と奥壁２１４を接続する補強リブ２２３、補強リブ２２２と奥壁２１４を接続する補強リブ２２４が、それぞれ形成されている。そして、補強リブ２２３に囲まれる背面部２２０にネジ止め孔２２５が、補強リブ２２４に囲まれる背面部２２０にネジ止め孔２２６が、それぞれ形成されている。
【００２２】
リモコンホルダ２００を室内壁５００に取り付ける際は、図７に示すように、リモコンホルダ２００の背面部２２０を室内壁５００に押し付けて、ネジ止め孔２１４ｂにビスＢ１を挿入して屋内壁５００にねじ込む。また、ネジ止め孔２２５，２２６にも同様なビスを挿入して屋内壁５００にねじ込む（図示せず）。これによりリモコンホルダ２００は屋内壁５００に平行に取り付けられる。
【００２３】
リモコン装置１００は、前述したように、手前側１１３の高さＨ１が低く、奥側１１４の高さＨ２が高く、側面視で楔形状になっている。そこで、そのリモコン装置１００の手前側１１３を下側にし、上面パネル１２０を前方向に向けた状態で、図７、図８に示すようにリモコンホルダ２００の上方から内部に落とし込む。これにより、リモコン装置１００のタッチセンサ１３３Ｌ，１３３Ｒの近傍がリモコンホルダ２００のストッパ２１１ａ，２１２ａに当接して、リモコン装置１００がそのリモコンホルダ２００から脱落することが防止される。このとき、リモコン装置１００を室内壁５００の方向に押し込めば、そのリモコン装置１００の電池蓋１４０がリモコンホルダ２００の奥壁２１４と補強リブ２２１〜２２４に当接し、凹部１４２に奥壁２１４の突起２１４ａが係合する。これによって、リモコンホルダ２００に収納されたリモコン装置１００の奥壁１２４からの外れと回転が防止される。
【００２４】
このようにリモコンホルダ２００に保持されたリモコン装置１００は、上面パネル１１０がリモコンホルダ２００から露出し且つ室内壁５００と平行になるので、ユーザ４００は上面パネル１１０に向けて手や指をかざしてスリープ状態を解除してから、必要な操作を行うことができる。このとき、リモコン装置１００の通孔１１３ａがリモコンホルダ２００の開口２１３ａから露出する（図１０参照）ので、リモコン装置１００内部の温度センサが室内空気の温度を正常に検知することでき、また、リモコン装置１００がリモコンホルダ２００に正常に保持されていることの確認も容易となる。
【００２５】
リモコン装置１００をリモコンホルダ２００から取り外す際には、リモコンホルダ２００の開口２１３ａに指を差し込んでリモコン装置１００を上方向に押し上げれば良い。これによって、リモコン装置１００の凹部１４２がリモコンホルダ２００の係止突起２１４ａから外れ、リモコン装置１００がストッパ２１１ａ，２１２ａからも外れるので、リモコン装置１００をリモコンホルダ２００から取り外すことができる。
【符号の説明】
【００２６】
１００：リモコン装置、１１０：筐体、１１１：上面、１１２：底面、１１３：手前側、１１３ａ：通孔、１１４：奥側、１２０：上面パネル、１３１：近接センサ、１３２：表示器、１３３Ｕ，１３１Ｄ，１３３Ｌ，１３１Ｒ，１３４：タッチセンサ、１４０：電池蓋、１４１：ロックピン、１４２：凹部、１５１Ｕ，１５１Ｄ，１５３Ｌ，１５１Ｒ：滑り止めシート
２００：リモコンホルダ、２１０：収納凹部、２１１：左側部、２１１ａ：ストッパ、２１２：右側部、２１２ａ：ストッパ、２１３：底部、２１３ａ：開口、２１４：奥壁、２１４ａ：係止突起、２１４ｂ：ネジ止め孔、２１４ｃ：ボス、２２０：背面部、２２１，２２２，２２３，２２４：補強リブ、２２５，２２６：ネジ止め孔
３００：机
４００：ユーザ
５００：室内壁
【図１】
2020107979.tif 000003
【図２】
2020107979.tif 000004
【図３】
2020107979.tif 000005
【図４】
2020107979.tif 000006
【図５】
2020107979.tif 000007
【図６】
2020107979.tif 000008
【図７】
2020107979.tif 000009
【図８】
2020107979.tif 000010
【図９】
2020107979.tif 000011
【図１０】
2020107979.tif 000012